(57)【要約】【課題】端末装置の内蔵時計時刻の設定乃至修正を、正しい標準時刻情報をもって行いうるようにすること。【解決手段】端末装置が内蔵時計時刻設定機構として、時刻情報取得手段２０、経過時間計測手段２１、時刻一時保持手段２２、時刻補正（更新或いは修正）手段２３、補正（更新或いは修正）回数設定手段２４、時刻比較判断手段２５、補正（更新或いは修正）回数計数手段２６、内蔵時計時刻設定手段２７、内蔵時計２８を備え、自動的に、インターネット又は外部から、標準時刻情報を取得して一時的に保持し、これを連続してＮ回繰り返して、連続して取得したＮ回の標準時刻情報が取得後の経過時間を考慮して同一といえる場合のみ、一時的に保持した標準時刻情報を内蔵時計の時刻として設定する。【選択図】　　　　図２
2004117231.tif 000002
【特許請求の範囲】
【請求項１】
サーバと通信ネットワークを介して接続され情報の授受を行うパソコン等の端末装置の内蔵時計時刻自動修正方法であって、
自動的に、インターネット又は外部から、標準時刻情報を取得して一時的に保持し、これを連続してＮ回繰り返して、連続して取得したＮ回の標準時刻情報が取得後の経過時間を考慮して同一といえる場合のみ、一時的に保持した標準時刻情報を内蔵時計の時刻として設定するようにした、
ことを特徴とする端末装置の内蔵時計時刻自動修正方法。
【請求項２】
請求項１に記載の端末装置の内蔵時計時刻自動修正方法において、
インターネット又は外部から、自動的に標準時刻情報を取得できない場合、手動で標準時刻情報を設定するために、年月日として西暦年月日又は平成年月日の指定か、及び時刻としてＡＭ／ＰＭ時刻又は２４時時刻の指定かに応じて、それぞれ年月日及び時刻を入手して一時的に保持し、これを連続してＮ回繰り返して、連続して取得したＮ回の標準時刻情報が取得後の経過時間を考慮して同一といえる場合のみ、一時的に保持した標準時刻情報を内蔵時計の時刻として設定するようにした、
ことを特徴とする端末装置の内蔵時計の時刻自動修正方法。
【請求項３】
請求項１又は、請求項２に記載の端末装置の内蔵時計時刻自動修正方法において、Ｎ回を予め指定した、ことを特徴とする端末装置の内蔵時計時刻自動修正方法。
【請求項４】
端末装置の内蔵時計時刻設定機構であって、時刻情報取得手段、経過時間計測手段、時刻一時保持手段、時刻補正手段、補正回数設定手段、時刻比較判断手段、補正回数計数手段、内蔵時計時刻設定手段、内蔵時計を備える、
ことを特徴とする端末装置の内蔵時計時刻設定機構。
【請求項５】
サーバと通信ネットワークを介して接続され情報の授受を行うパソコン等の端末装置の内蔵時計時刻自動修正システムであって、
端末装置の内蔵時計時刻設定機構が、時刻情報取得手段、経過時間計測手段、時刻一時保持手段、時刻補正手段、補正回数設定手段、時刻比較判断手段、補正回数計数手段、内蔵時計時刻設定手段、内蔵時計を備え、
自動的に、インターネット又は外部から、標準時刻情報を取得して一時的に保持し、これを連続してＮ回繰り返して、連続して取得したＮ回の標準時刻情報が取得後の経過時間を考慮して同一といえる場合のみ、一時的に保持した標準時刻情報を内蔵時計の時刻として設定するようにした、
ことを特徴とする端末装置の内蔵時計時刻自動修正システム。
【請求項６】
請求項５に記載の端末装置の内蔵時計時刻自動修正システムにおいて、
インターネット又は外部から、自動的に標準時刻情報を取得できない場合、手動で標準時刻情報を設定するために、年月日として西暦年月日又は平成年月日の指定か、及び時刻としてＡＭ／ＰＭ時刻又は２４時時刻の指定かに応じて、それぞれ年月日及び時刻を入手して一時的に保持し、これを連続してＮ回繰り返して、連続して取得したＮ回の標準時刻情報が取得後の経過時間を考慮して同一といえる場合のみ、一時的に保持した標準時刻情報を内蔵時計の時刻として設定するようにした、
ことを特徴とする端末装置の内蔵時計の時刻自動修正システム。
【請求項７】
請求項５又は、請求項６に記載の端末装置の内蔵時計時刻自動修正システムにおいて、Ｎ回を予め指定した、ことを特徴とする端末装置の内蔵時計時刻自動修正システム。
【請求項８】
サーバと通信ネットワークを介して接続され情報の授受を行うパソコン等の端末装置の内蔵時計時刻自動修正システムであって、
自動的に、インターネット又は外部から、標準時刻情報を取得して一時的に保持する機能、これを連続してＮ回繰り返えす機能、連続して取得したＮ回の標準時刻情報が取得後の経過時間を考慮して同一といえるか判断する機能、判断の結果同一といえる場合に、一時的に保持した標準時刻情報を内蔵時計の時刻として設定する機能を有するようにした、
ことを特徴とする端末装置の内蔵時計時刻自動修正システム。
【請求項９】
請求項８に記載の端末装置の内蔵時計時刻自動修正システムにおいて、
インターネット又は外部から、自動的に標準時刻情報を取得できない場合、手動で標準時刻情報を設定するために、年月日として西暦年月日又は平成年月日の指定を求める機能、及び時刻としてＡＭ／ＰＭ時刻又は２４時時刻の指定を求める機能、指定に応じて、それぞれ年月日及び時刻を入手して一時的に保持する機能、これを連続してＮ回繰り返えす機能、連続して取得したＮ回の標準時刻情報が取得後の経過時間を考慮して同一といえるか判断する機能、判断の結果同一といえる場合のみ、一時的に保持した標準時刻情報を内蔵時計の時刻として設定する機能を有するようにした、
ことを特徴とする端末装置の内蔵時計の時刻自動修正システム。
【請求項１０】
請求項８又は．請求項９に記載の端末装置の内蔵時計時刻自動修正システムにおいて、Ｎ回を予め指定した、ことを特徴とする端末装置の内蔵時計時刻自動修正システム。
【発明の詳細な説明】
【０００１】
【発明の属する技術分野】
本発明は、通信ネットワークに接続されているパソコン、ワークステーション等の端末装置の内蔵時計時刻自動修正方法及びシステム並びに内蔵時計時刻設定機構に関する。
【０００２】
【従来の技術】
通信ネットワークに接続されているパソコン（パーソナルコンピュータ）（ＰＣ）、ワークスステーション等の端末装置の内蔵時計時刻を標準時刻に自動設定乃至修正するのに、時刻サーバから送られてくる標準時刻情報を受信して行っているが、この標準時刻情報はサーバから一方的に送られてくるものであり、サーバは上位階層のＮＴＰ（Ｎｅｔｗｏｒｋ　Ｔｉｍｅ　Ｐｒｏｔｏｃｏｌ）やＧＰＳから一方的に標準時刻情報を受信するものである。
このため、サーバから一方的に送られてくる標準時刻情報に誤りがあると、端末装置の内蔵時計の時刻が誤って設定乃至修正されてしまう。
【０００３】
【発明が解決しようとする課題】
本発明はこのような点に鑑み、端末装置の内蔵時計の時刻を自動設定乃至修正するのに、通信回線を介してサーバから一方的に送られてくる標準時刻情報を単にそのまま利用するのではなく、またサーバからの標準時刻情報のみを利用するのではなく、電波時計のような外部の標準時刻情報も利用可能にして、正確な時刻を設定乃至修正可能にし、さらに手動でも端末装置の内蔵時計の時刻を正確に設定乃至修正可能にすることを目的とする。
【０００４】
【課題を解決するための手段】
上記目的を達成するために、本発明のサーバと通信ネットワークを介して接続され情報の授受を行うパソコン等の端末装置の内蔵時計時刻自動修正方法は、自動的に、インターネット又は外部から、標準時刻情報を取得して一時的に保持し、これを連続してＮ回繰り返して、連続して取得したＮ回の標準時刻情報が取得後の経過時間を考慮して同一といえる場合のみ、一時的に保持した標準時刻情報を内蔵時計の時刻として設定するようにした。
【０００５】
また、インターネット又は外部から、自動的に標準時刻情報を取得できない場合、手動で標準時刻情報を設定するために、年月日として西暦年月日又は平成年月日の指定か、及び時刻としてＡＭ／ＰＭ時刻又は２４時時刻の指定かに応じて、それぞれ年月日及び時刻を入手して一時的に保持し、これを連続してＮ回繰り返して、連続して取得したＮ回の標準時刻情報が取得後の経過時間を考慮して同一といえる場合のみ、一時的に保持した標準時刻情報を内蔵時計の時刻として設定するようにした。
【０００６】
また、端末装置の内蔵時計時刻設定機構を、時刻情報取得手段２０、経過時間計測手段２１、時刻一時保持手段２２、時刻補正（更新或いは修正）手段２３、補正（更新或いは修正）回数設定手段２４、時刻比較判断手段２５、補正（更新或いは修正）回数計数手段２６、内蔵時計時刻設定手段２７、内蔵時計２８を備えるようにした。
【０００７】
さらに、サーバと通信ネットワークを介して接続され情報の授受を行うパソコン等の端末装置の内蔵時計時刻自動修正システムであって、端末装置の内蔵時計時刻設定機構が、時刻情報取得手段２０、経過時間計測手段２１、時刻一時保持手段２２、時刻補正（更新或いは修正）手段２３、補正（更新或いは修正）回数設定手段２４、時刻比較判断手段２５、補正（更新或いは修正）回数計数手段２６、内蔵時計時刻設定手段２７、内蔵時計２８を備え、自動的に、インターネット又は外部から、標準時刻情報を取得して一時的に保持し、これを連続してＮ回繰り返して、連続して取得したＮ回の標準時刻情報が取得後の経過時間を考慮して同一といえる場合のみ、一時的に保持した標準時刻情報を内蔵時計の時刻として設定するようにした。
【０００８】
さらに、サーバと通信ネットワークを介して接続され情報の授受を行うパソコン等の端末装置の内蔵時計時刻自動修正システムであって、端末装置の内蔵時計時刻設定機構が上記の構成を備え、インターネット又は外部から、自動的に標準時刻情報を取得できない場合、手動で標準時刻情報を設定するために、年月日として西暦年月日又は平成年月日の指定か、及び時刻としてＡＭ／ＰＭ時刻又は２４時時刻の指定かに応じて、それぞれ年月日及び時刻を入手して一時的に保持し、これを連続してＮ回繰り返して、連続して取得したＮ回の標準時刻情報が取得後の経過時間を考慮して同一といえる場合のみ、一時的に保持した標準時刻情報を内蔵時計の時刻として設定するようにした。
【０００９】
さらにまた、サーバと通信ネットワークを介して接続され情報の授受を行うパソコン等の端末装置の内蔵時計時刻自動修正システムであって、自動的に、インターネット又は外部から、標準時刻情報を取得して一時的に保持する機能、これを連続してＮ回繰り返えす機能、連続して取得したＮ回の標準時刻情報が取得後の経過時間を考慮して同一といえるか判断する機能、判断の結果同一といえる場合に、一時的に保持した標準時刻情報を内蔵時計の時刻として設定する機能を有するようにした。
【００１０】
さらに、サーバと通信ネットワークを介して接続され情報の授受を行うパソコン等の端末装置の内蔵時計時刻自動修正システムであって、インターネット又は外部から、自動的に標準時刻情報を取得できない場合、手動で標準時刻情報を設定するために、年月日として西暦年月日又は平成年月日の指定を求める機能、及び時刻としてＡＭ／ＰＭ時刻又は２４時時刻の指定を求める機能、指定に応じて、それぞれ年月日及び時刻を入手して一時的に保持する機能、これを連続してＮ回繰り返えす機能、連続して取得したＮ回の標準時刻情報が取得後の経過時間を考慮して同一といえるか判断する機能、判断の結果同一といえる場合のみ、一時的に保持した標準時刻情報を内蔵時計の時刻として設定する機能を有するようにした。
さらに、上記の夫々において、Ｎ回を４回とした。
【００１１】
【発明の実施の形態】
本発明の実施の形態を実施例にもとづき図面を参照して説明する。
図１は本発明の端末装置の内蔵時計時刻自動修正システムの概念図を示し、パソコン等の端末装置３が通信ネットワーク４を介して時刻サーバを含むサーバ１と情報の授受を行い、標準時刻情報（年、月、日、時、分、秒）を受信し、又は端末装置３が電波時計２から標準時刻情報を受信して、内蔵時計時刻を自動的に設定乃至修正することができる。さらにサーバ１又は電波時計２から標準時刻情報を受信できない場合は、適宜の手段（例えば、電話の時報サービス）で取得した標準時刻情報を、手動で端末装置の内蔵時計時刻として設定乃至修正することができる。
【００１２】
図２は端末装置の内蔵時計時刻設定機構の一例を示すブロック図である。
この端末装置の内蔵時計時刻設定機構おいて、内蔵時計時刻を自動設定のための処理が始まると、時刻情報取得手段２０はサーバ又は電波時計から標準時刻情報を取得する。経過時間計測手段２１は標準時刻情報取得時点からの経過時間を計測する。取得した標準時刻情報は、時刻補正（更新又は修正）手段２３により時刻一時保持手段２２に一時的に記憶・保持される。なおこの時刻一時保持手段２２の時刻には、上記経過時間が加味され、それに応じて該時刻は変化する。
【００１３】
時刻補正（更新又は修正）手段２３は、１回目に取得した標準時刻情報を上記のように時刻一時保持手段２２に一時的に記憶・保持し、次回からは取得した標準時刻情報をもって上記時刻一時記憶手段２２の時刻を補正（更新或いは修正）し、それを一時的に記憶・保持する。上記時刻一時保持手段２２の時刻を補正（更新或いは修正）する回数（１回目を含めて後述のＮ回、例えば４回）は補正（更新或いは修正）回数設定手段２４により予め設定される。
【００１４】
時刻比較判断手段２５は取得した標準時刻情報と上記時刻一時保持手段２２に保持されている時刻（時刻情報）を比較し、同一の場合に、上記時刻補正（更新或いは修正）手段２３により上記時刻一時保持手段２２に保持されている時刻を補正（更新或いは修正）し、この補正回数を一回目を含めて計数する補正（更新或いは修正）回数計数手段２６をカウントアップする。
【００１５】
補正（更新或いは修正）回数計数手段２６による計数が予め設定したＮ回に達すると、内蔵時計時刻設定手段２７が動作して、上記時刻一時保持手段２２に保持されている時刻（即ち、１回目を含めてＮ回目の補正（更新或いは修正）時刻）を、内蔵時計２８の時刻として設定すると共に標準時刻情報の取得を止め、内蔵時計時刻を自動設定のための処理を終了する。
【００１６】
そして時刻比較判断手段２５が、取得した標準時刻情報と上記時刻一時保持手段２２に保持されている時刻（時刻情報）を比較した結果、同一でない場合には、上記時刻補正（更新或いは修正）手段２３により上記時刻一時保持手段２２に保持されている時刻を補正（更新或いは修正）はするが、補正（更新或いは修正）回数計数手段２６のカウントをアップせずに、カウント１からをやり直す。
【００１７】
即ち、取得した標準時刻情報が連続してＮ回（例えば４回）同一でない限り、内蔵時計時刻設定手段２７による内蔵時計時刻の自動設定乃至修正は行われないことになる。
これは取得した標準時刻情報はその都度必ずしも正しいとは限らないが、本発明では、取得した標準時刻情報が連続してＮ回（例えば、４回）同一と判断できる場合には、取得した各標準時刻情報が正しくないとする確率は低く、この標準時刻情報を正しいものとして、内蔵時計の時刻の時刻として設定乃至修正するようにしている。
【００１８】
なお標準時刻情報を例えば電話の時報サービスから取得し、内蔵時計の時刻を設定乃至修正を手動で行う場合にも、後述するように、取得した標準時刻情報が連続してＮ回同一と判断できる場合に限り、これを内蔵時計の時刻として設定乃至修正するようにしている。
なお上記の各手段は、本発明においては、前述のとおりに動作乃至機能するものとし、また上記内蔵時計時刻設定機構はハードウエア或いはソフトウエアにより形成される。
【００１９】
図３は端末装置の内蔵時計時刻を自動又は手動で設定乃至修正する場合の処理のフロー図である。
ステップＳ３０で処理がスタートし、ステップＳ３１で通信回線を介してＴＯＤ（標準時刻情報）をインターネットで取得するかチェック（判断）し、そうであればステップＳ３２でインターネットからＴＯＤを取得して、これを一時的に保持し、ステップＳ３３では次いで取得したＴＯＤで、一時的に保持しているＴＯＤを補正（更新或いは修正）したか、そして連続して４回取得したＴＯＤが同じであるかチェックし、そうでなければＴＯＤの取得を繰り返し、またそうであればステップＳ３７でこのＴＯＤを補正（更新或いは修正）時刻として、内蔵時計に設定する（即ち、４回目に取得したＴＯＤがそのままＰＣの内蔵時計に設定されることになる。そしてステップＳ３８でＰＣの内蔵時計時刻設定乃至修正処理を終了する。
【００２０】
ステップＳ３１でＴＯＤをインターネットで取得しない場合は、ステップＳ３４で外部（例えば、電波時計）からＴＯＤを取得かチェックし、そうであればステップＳ３５で外部ＴＯＤを取得して、これを一時的に保持し、ステップＳ３６で前記ステップＳ３３におけると同様に処理し、そうであれば前述のステップＳ３７に進む。
以上はいずれも、時刻設定乃至修正処理のスタートで自動的に行われる。
【００２１】
ステップＳ３４で外部（例えば、電波時計）からＴＯＤを取得するのでなければ、ステップＳ３９以降で、例えば電話の時報サービスによりＴＯＤを取得して、これをＰＣの内蔵時計に手動で設定する。
即ち、ステップＳ４０で西暦年月日を指定かチェックし、そうであればステップＳ４１で西暦年月日を入手して、ステップＳ４２でこの西暦年月日を一時的に保持する。またステップＳ４０で西暦年月日指定でなければ、ステップＳ４３で平成年月日を指定かチェックし、そうであればステップＳ４４で平成年月日を入手し、ステップＳ４５でこの平成年月日を一時的に保持する。
【００２２】
ステップＳ４３で平成年月日指定でなければ、ステップＳ４６でＡＭ／ＰＭ時刻を指定かチェックし、そうであればステップＳ５０でＡＭ／ＰＭ時刻を入手し、ステップＳ５１でこのＡＭ／ＰＭ時刻を一時的に保持する。ステップＳ４６でＡＭ／ＰＭ時刻指定でなければ、ステップＳ４７で２４Ｈ時刻指定かチェックし、そうであればステップＳ４８で２４Ｈ時刻を入手し、ステップＳ４９でこの２４Ｈ時刻を一時的に保持する。
【００２３】
ステップＳ５２では、ステップＳ４０以降の処理を４回行って、連続して４回取得したＴＯＤが同一かチェックし、そうでなければステップＳ４０へ戻り、処理を繰り返し、そうであれば前述のステップＳ３７へ進み、このＴＯＤを補正（更新或いは修正）時刻として、内蔵時計に設定する。そしてステップＳ３８でＰＣの内蔵時計時刻設定乃至修正処理を終了する。
【００２４】
【発明の効果】
以上のように、唯一回の標準時刻情報の取得のみでは、それが不正な時刻情報であった場合、誤った時刻が内蔵時計の時刻として設定乃至修正されてしまう虞があるが、連続してＮ回（例えば、４回）取得した標準時刻情報が全て不正な時刻情報である確率は低いと考えられるから、本発明によれば端末装置の内蔵時計の時刻を正しく設定乃至修正することができる。
【図面の簡単な説明】
【図１】本発明の端末装置の内蔵時計時刻自動修正システムの概念図である。
【図２】端末装置の内蔵時計時刻設定機構の一例を示すブロック図である。
【図３】端末装置の内蔵時計時刻を自動又は手動で設定乃至修正する場合の処理のフロー図である。
【符号の説明】
１　サーバ
２　電波時計
３　端末装置
４　通信ネットワーク
２０　時刻情報取得手段
２１　経過時間計測手段
２２　時刻一時保持手段
２３　時刻補正（更新或いは修正）手段
２４　補正（更新或いは修正）設定手段
２５　時刻比較判断手段
２６　補正（更新或いは修正）計数手段
２７　内蔵時計時刻判断手段
２８　内蔵時計
【図１】
2004117231.tif 000003
【図２】
2004117231.tif 000004
【図３】
2004117231.tif 000005